【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
印刷装置にセットされている印刷用紙の属性を取得する取得手段と、
前記印刷装置により使用される印刷用紙の属性に関し且つ情報処理装置で選択可能な複数の分類のうちの、ユーザにより選択された分類を前記情報処理装置から受信する受信手段と、
前記受信手段により受信された分類と、前記取得手段により取得された前記属性を含む分類とが合致する場合に、前記取得手段により取得された当該属性に従って、前記印刷装置に画像を印刷させる印刷制御手段と、
を有し、
前記複数の分類は、前記取得手段により取得可能な複数の属性に対応する１つの分類を含むことを特徴とする印刷制御装置。
【請求項２】
前記情報処理装置で選択可能な前記複数の分類が、前記情報処理装置により前記印刷制御装置から取得されることを特徴とする請求項１に記載の印刷制御装置。
【請求項３】
前記情報処理装置が前記印刷制御装置から取得した前記複数の分類が前記情報処理装置により表示され、
前記受信手段は、前記情報処理装置において表示される前記複数の分類のうちの、前記情報処理装置においてユーザにより選択された分類を受信することを特徴とする請求項２に記載の印刷制御装置。
【請求項４】
前記取得手段は、前記印刷装置にセットされている複数の印刷用紙のそれぞれに対応する属性を取得し、前記印刷制御手段は、当該取得された属性と前記受信手段により受信された分類とに基づいて当該複数の印刷用紙から前記画像を印刷する印刷用紙を選択し、当該選択された印刷用紙に当該画像を印刷させることを特徴とする請求項１乃至３のいずれか１項に記載の印刷制御装置。
【請求項５】
前記印刷装置は前記複数の印刷用紙のそれぞれをセットするための複数の給紙部を備え、前記取得手段は、当該複数の給紙部のそれぞれに対応する属性を当該複数の印刷用紙の属性として取得し、
前記印刷制御手段は、前記複数の給紙部から前記画像を印刷するときに使用する給紙部を選択することで、前記複数の印刷用紙から当該画像を印刷する印刷用紙を選択することを特徴とする請求項４に記載の印刷制御装置。
【請求項６】
前記受信手段はさらに、前記印刷装置の前記複数の給紙部のいずれかを指定するための情報を受信し、
前記印刷制御手段は、前記情報により指定されている給紙部に対応する属性を含む分類と、前記受信手段により受信された分類とが合致する場合に、当該給紙部にセットされている印刷用紙に前記画像を印刷させることを特徴とする請求項５に記載の印刷制御装置。
【請求項７】
前記属性は、印刷用紙の材質または表面の特性に関する種類であり、
前記受信手段は、ユーザにより選択された前記種類に関する分類と、印刷用紙のサイズとを前記情報処理装置から受信し、前記取得手段は、前記印刷装置にセットされている印刷用紙の種類とサイズとを取得し、
前記印刷制御手段は、前記受信手段により受信された分類と、前記取得手段により取得された前記種類の分類が合致し、且つ前記受信手段により受信されたサイズと、前記取得手段により取得されたサイズが合致する場合に、前記取得手段により取得された当該種類とサイズのそれぞれに対応する属性に従って、前記印刷装置に画像を印刷させることを特徴とする請求項１乃至６のいずれか１項に記載の印刷制御装置。
【請求項８】
前記属性は、前記印刷用紙の材質または表面の特性であることを特徴とする請求項１乃至６のいずれか１項に記載の印刷制御装置。
【請求項９】
前記属性は、前記印刷用紙のサイズであることを特徴とする請求項１乃至６のいずれか１項に記載の印刷制御装置。
【請求項１０】
前記受信手段は、前記情報処理装置から、前記分類と印刷対象のデータとを含む印刷ジョブを受信し、前記印刷制御手段は、当該印刷ジョブに含まれている当該データに基づく画像を印刷させることを特徴とする請求項１乃至９のいずれか１項に記載の印刷制御装置。
【請求項１１】
前記印刷制御手段は、前記受信手段により受信された分類と、前記取得手段により取得された属性を含む分類とが合致しない場合に、前記取得手段により取得された当該属性に応じた印刷を前記印刷装置に実行させないことを特徴とする請求項１乃至１０のいずれか１項に記載の印刷制御装置。
【請求項１２】
前記印刷装置としての印刷部を有し、
前記印刷制御手段は、前記印刷部に前記画像を印刷させることを特徴とする請求項１乃至１１のいずれか１項に記載の印刷制御装置。
【請求項１３】
前記印刷部にセットされた印刷用紙の属性を登録する登録手段を有し、
前記取得手段は、前記登録手段により登録された属性を取得することを特徴とする請求項１２に記載の印刷制御装置。
【請求項１４】
表示部を有し、
前記登録手段は、前記表示部に前記属性の登録を行うための画面を表示させ、当該画面に対するユーザの指示に応じて、前記属性を登録することを特徴とする請求項１３に記載の印刷制御装置。
【請求項１５】
印刷用紙をセットするための用紙カセットの操作を検知するためのセンサを有し、
前記登録手段は、前記センサにより前記用紙カセットに所定の操作が行われたことが検知された場合に、前記画面を前記表示部に表示させることを特徴とする請求項１４に記載の印刷制御装置。
【請求項１６】
前記所定の操作は、前記用紙カセットを閉じる操作であることを特徴とする請求項１５に記載の印刷制御装置。
【請求項１７】
前記印刷制御手段は、前記取得手段により取得された前記属性に応じたパラメータに従って印刷対象の画像に画像処理を行うことで、前記印刷装置に前記印刷対象の画像を印刷させることを特徴とする請求項１乃至１６のいずれか１項に記載の印刷制御装置。
【請求項１８】
前記印刷制御手段は、前記取得手段により取得された前記属性に応じたパラメータに従って前記印刷装置に印刷用紙の搬送制御を行わせることで、前記印刷装置に画像を印刷させることを特徴とする請求項１乃至１７のいずれか１項に記載の印刷制御装置。
【請求項１９】
前記印刷制御手段は、前記受信手段により受信された分類と、前記取得手段により取得された属性を含む分類とが合致しない場合に、ユーザへの所定の通知を行う通知手段をさらに有することを特徴とする請求項１乃至１８のいずれか１項に記載の印刷制御装置。
【請求項２０】
印刷装置にセットされている印刷用紙の属性を取得する取得工程と、
前記印刷装置により使用される印刷用紙の属性に関し且つ情報処理装置で選択可能な複数の分類のうちの、ユーザにより選択された分類を前記情報処理装置から受信する受信工程と、
前記受信工程により受信された分類と、前記取得工程において取得された前記属性を含む分類とが合致する場合に、前記取得工程において取得された当該属性に従って、前記印刷装置に画像を印刷させる印刷制御工程と、
を有し、
前記複数の分類は、前記取得工程において取得可能な複数の属性に対応する１つの分類を含むことを特徴とする印刷制御方法。
【請求項２１】
画像を印刷する印刷装置と、前記印刷装置に画像を印刷させる情報処理装置とを含む印刷システムにおける印刷制御方法であって、
前記情報処理装置に、
前記印刷装置により使用される印刷用紙の属性に関し且つ前記情報処理装置で選択可能な複数の分類を前記印刷装置から取得する第１の取得工程と、
ユーザの指示に応じて、前記第１の取得工程において取得された前記複数の分類のいずれかを選択する選択工程と、を実行させ、
前記印刷装置に、
前記印刷装置にセットされている印刷用紙の属性を取得する第２の取得工程と、
前記選択工程において選択された分類を前記情報処理装置から受信する受信工程と、
前記受信工程において受信された分類と、前記第２の取得工程において取得された前記属性を含む分類とが合致する場合に、前記第２の取得工程において取得された当該属性に従って、前記印刷装置に画像を印刷させる印刷制御工程と、
を実行させ、
前記複数の分類は、前記第２の取得工程において取得可能な複数の属性に対応する１つの分類を含むことを特徴とする印刷制御方法。
【請求項２２】
請求項１乃至１９のいずれか１項に記載の印刷制御装置の各手段としてコンピュータを機能させるためのプログラム。
【手続補正２】
【補正対象書類名】明細書
【補正対象項目名】０００８
【補正方法】変更
【補正の内容】
【０００８】
上記の課題を鑑みて本願発明の印刷制御装置は、印刷装置にセットされている印刷用紙の属性を取得する取得手段と、前記印刷装置により使用される印刷用紙の属性に関し且つ情報処理装置で選択可能な複数の分類のうちの、ユーザにより選択された分類を前記情報処理装置から受信する受信手段と、前記受信手段により受信された分類と、前記取得手段により取得された前記属性を含む分類とが合致する場合に、前記取得手段により取得された当該属性に従って、前記印刷装置に画像を印刷させる印刷制御手段と、を有し、前記複数の分類は、前記取得手段により取得可能な複数の属性に対応する１つの分類を含むことを特徴とする。